(57)【要約】      （修正有）【課題】携帯情報端末上で実行可能な複数のアプリケーションプログラムに対応可能な表示制御装置およびミラーリングシステムの管理装置を提供する。【解決手段】携帯情報端末上で実行可能な第１プログラム群の中から選択的に携帯情報端末上で実行される第１プログラムにより送信された画面イメージデータを受信してＴＶ５へ表示する第２プログラムであり、第１プログラム群にそれぞれ対応する複数の第２プログラム群を記憶するフラッシュメモリ１２と、第２プログラム群の中から使用する第２プログラムを選択させるプログラム選択手段１１ａと、第２プログラム群のうちプログラム選択手段により選択された第２プログラムのみを実行することにより、携帯情報端末上で実行される第１プログラムにより送信された画面イメージデータを受信してＴＶ５へ表示するプログラム実行手段１１ｂとを含む。【選択図】図２
2017092711.tif 000002
【特許請求の範囲】
【請求項１】
携帯情報端末上で実行可能な複数のアプリケーションプログラム（以下、「第１プログラム群」と称す。）の中から選択的に前記携帯情報端末上で実行されるアプリケーションプログラム（以下、「第１プログラム」と称す。）により送信された画面イメージデータを受信して外部ディスプレイ装置へ表示するアプリケーションプログラム（以下、「第２プログラム」と称す。）であり、前記第１プログラム群にそれぞれ対応する複数のアプリケーションプログラム（以下、「第２プログラム群」と称す。）を記憶する記憶手段と、
前記第２プログラム群の中から使用する第２プログラムを選択させるプログラム選択手段と、
前記第２プログラム群のうち前記プログラム選択手段により選択された第２プログラムのみを実行することにより、前記携帯情報端末上で実行される第１プログラムにより送信された画面イメージデータを受信して前記外部ディスプレイ装置へ表示するプログラム実行手段と
を含む表示制御装置。
【請求項２】
複数の部屋に敷設されたＬＡＮと、前記ＬＡＮとＷＡＮとを接続するルータと、前記複数の部屋にそれぞれ設置される請求項１記載の表示制御装置であり、前記ＬＡＮに接続される表示制御装置とを含むミラーリングシステムにおける管理装置であって、
前記ルータを経由した前記ＷＡＮとの通信速度が所定のしきい値以下となった場合に前記複数の部屋にそれぞれ設置された前記表示制御装置を通じて前記外部ディスプレイ装置へ通知する制御手段を含む管理装置。
【請求項３】
前記ミラーリングシステムは、前記複数の部屋のそれぞれの部屋内において前記携帯情報端末を前記ＬＡＮに接続するためのアクセスポイントを含むものであって、
前記制御手段は、前記通信速度が前記所定のしきい値以下となった場合であっても、前記複数の部屋のそれぞれの部屋内において前記携帯情報端末から前記アクセスポイントを通じた前記ＷＡＮとの通信量が所定のしきい値以下の場合には、その部屋内に設置された前記表示制御装置の前記プログラム実行手段の動作を許可するものである請求項２記載の管理装置。
【請求項４】
前記複数の部屋にそれぞれ設置された表示制御装置に対して前記ＬＡＮを通じて通信の可否を所定の時間間隔で確認し、通信不可の場合に警報する警報手段を含む請求項２または３に記載の管理装置。
【請求項５】
複数の部屋に敷設されたＬＡＮと、前記ＬＡＮとＷＡＮとを接続するルータと、前記複数の部屋にそれぞれ設置される請求項１記載の表示制御装置であり、前記ＬＡＮに接続される表示制御装置とを含むミラーリングシステムにおける管理装置であって、
前記複数の部屋にそれぞれ設置された表示制御装置に対して前記ＬＡＮを通じて通信の可否を所定の時間間隔で確認し、通信不可の場合に警報する警報手段を含む管理装置。
【発明の詳細な説明】
【技術分野】
【０００１】
本発明は、スマートフォン（多機能携帯電話）やタブレット端末等の携帯情報端末の画面をテレビジョンや液晶モニタ等の外部ディスプレイ装置へ表示する表示制御装置およびミラーリングシステムの管理装置に関する。
【背景技術】
【０００２】
スマートフォン（多機能携帯電話）やタブレット端末等の携帯情報端末の画面をテレビジョンや液晶モニタ等の外部ディスプレイ装置へ表示する、いわゆるミラーリング表示するミラーリングシステムが知られている（例えば、特許文献１および非特許文献１〜４参照。）。これらのミラーリングシステムは、携帯情報端末上で実行される専用のアプリケーションプログラムと、外部ディスプレイ装置に接続される表示制御装置であり、携帯情報端末から専用のアプリケーションプログラムにより送信された画面イメージデータを受信して外部ディスプレイ装置へ表示するアプリケーションプログラムを実行する表示制御装置とから構成される。
【先行技術文献】
【特許文献】
【０００３】
【特許文献１】特開２０１２−１７７９０２号公報
【非特許文献】
【０００４】
【非特許文献１】“ＡｌｌＣａｓｔ”，［online］，ＣｌｏｃｋｗｏｒｄＭｏｄ  ＬＬＣ（クロックワークマド  エルエルシー），［平成２７年１０月２８日検索］，インターネット＜ＵＲＬ：http://www.allcast.io/＞
【非特許文献２】“ＥＺＣａｓｔ”，［online］，エー・リンク株式会社，［平成２７年１０月２８日検索］，インターネット＜ＵＲＬ：http://www.alinkcorp.co.jp/ezcast/＞
【非特許文献３】“Ｃｈｒｏｍｅｃａｓｔ”，［online］，Ｇｏｏｇｌｅ（グーグル），［平成２７年１０月２８日検索］，インターネット＜ＵＲＬ：https://www.google.com/intl/ja_jp/chrome/devices/chromecast/index.html?utm_source=chromecast.com＞
【非特許文献４】“ＫＯＤＩ”，［online］，ＸＢＭＣ  Ｆｏｕｎｄａｔｉｏｎ（エックスビーエムシー  ファウンデーション），［平成２７年１０月２８日検索］，インターネット＜ＵＲＬ：http://kodi.tv/about/＞
【発明の概要】
【発明が解決しようとする課題】
【０００５】
上述のように、携帯情報端末の画面を外部ディスプレイ装置へ表示するミラーリングシステムは様々なものが存在するが、いずれも外部ディスプレイ装置に接続される表示制御装置にそれぞれ対応する専用のアプリケーションプログラムを携帯情報端末上で実行する必要がある。また、裏を返せば、携帯情報端末上で実行されるアプリケーションプログラムに対応する専用の表示制御装置がない限り、携帯情報端末の画面を外部ディスプレイ装置へ表示することができないと言える。
【０００６】
そこで、本発明においては、携帯情報端末上で実行可能な複数のアプリケーションプログラムに対応可能な表示制御装置およびミラーリングシステムの管理装置を提供することを目的とする。
【課題を解決するための手段】
【０００７】
本発明の表示制御装置は、携帯情報端末上で実行可能な複数のアプリケーションプログラム（以下、「第１プログラム群」と称す。）の中から選択的に携帯情報端末上で実行されるアプリケーションプログラム（以下、「第１プログラム」と称す。）により送信された画面イメージデータを受信して外部ディスプレイ装置へ表示するアプリケーションプログラム（以下、「第２プログラム」と称す。）であり、第１プログラム群にそれぞれ対応する複数のアプリケーションプログラム（以下、「第２プログラム群」と称す。）を記憶する記憶手段と、第２プログラム群の中から使用する第２プログラムを選択させるプログラム選択手段と、第２プログラム群のうちプログラム選択手段により選択された第２プログラムのみを実行することにより、携帯情報端末上で実行される第１プログラムにより送信された画面イメージデータを受信して外部ディスプレイ装置へ表示するプログラム実行手段とを含むものである。
【０００８】
本発明の表示制御装置では、携帯情報端末上で実行可能な第１プログラム群にそれぞれ対応する第２プログラム群が記憶手段に記憶されており、携帯情報端末の利用者が第１プログラム群の中から携帯情報端末上で実行しようとする第１プログラムに対応する第２プログラムを選択すると、第２プログラム群のうち、この選択された第２プログラムのみが実行され、携帯情報端末上で実行される第１プログラムにより送信された画面イメージデータが受信されて外部ディスプレイ装置へ表示される。
【０００９】
また、本発明の管理装置は、複数の部屋に敷設されたＬＡＮと、ＬＡＮとＷＡＮとを接続するルータと、複数の部屋にそれぞれ設置される上記本発明の表示制御装置であり、ＬＡＮに接続される表示制御装置とを含むミラーリングシステムにおける管理装置であって、ルータを経由したＷＡＮとの通信速度が所定のしきい値以下となった場合に複数の部屋にそれぞれ設置された表示制御装置を通じて外部ディスプレイ装置へ通知する制御手段を含むものである。
【００１０】
本発明の管理装置によれば、ルータを経由したＷＡＮとの通信速度が所定のしきい値以下となった場合に複数の部屋にそれぞれ設置された表示制御装置を通じて外部ディスプレイへ通知される。
【００１１】
また、本発明の管理装置は、ミラーリングシステムが、複数の部屋のそれぞれの部屋内において携帯情報端末をＬＡＮに接続するためのアクセスポイントを含むものであって、制御手段が、通信速度が所定のしきい値以下となった場合であっても、複数の部屋のそれぞれの部屋内において携帯情報端末からアクセスポイントを通じたＷＡＮとの通信量が所定のしきい値以下の場合には、その部屋内に設置された表示制御装置のプログラム実行手段の動作を許可するものであることが望ましい。
【００１２】
これにより、前述のように通信速度が所定のしきい値となった場合であっても、複数の部屋のそれぞれの部屋内において携帯情報端末からアクセスポイントを通じた通信量が所定のしきい値以下の場合には、その部屋内に設置された表示制御装置のプログラム実行手段の動作が許可され、携帯情報端末から送信された画面イメージデータが表示制御装置に受信されて外部ディスプレイ装置へ表示される。
【００１３】
また、本発明の管理装置は、複数の部屋にそれぞれ設置された表示制御装置に対してＬＡＮを通じて通信の可否を所定の時間間隔で確認し、通信不可の場合に警報する警報手段を含む構成とすることができる。これにより、複数の部屋にそれぞれ設置された表示制御装置がＬＡＮから切断された場合に警報することができる。
【発明の効果】
【００１４】
（１）本発明の表示制御装置によれば、携帯情報端末の利用者は携帯情報端末上で実行する第１プログラムに対応する第２プログラムを選択するだけで、携帯情報端末上で実行される第１プログラムにより送信された画面イメージデータが表示制御装置により受信され、外部ディスプレイ装置へ表示される。また、表示制御装置上では、第２プログラム群のうち選択された第２プログラムのみが実行されるので、第２プログラム群同士のコンフリクトが発生しない。さらに、第２プログラム群の複数の第２プログラムが同時に実行されないため、表示制御装置の負荷を抑えることが可能となる。
【００１５】
（２）本発明の管理装置によれば、ルータを経由したＷＡＮとの通信速度が所定のしきい値以下となった場合に複数の部屋にそれぞれ設置された表示制御装置を通じて外部ディスプレイ装置へ通知されるので、携帯情報端末の利用者は、ＷＡＮとの通信速度の低下を外部ディスプレイ装置への通知により知ることが可能となる。
【００１６】
（３）通信速度が所定のしきい値以下となった場合であっても、複数の部屋のそれぞれの部屋内において携帯情報端末からアクセスポイントを通じたＷＡＮとの通信量が所定のしきい値以下の場合には、その部屋内に設置された表示制御装置のプログラム実行手段の動作を許可する構成により、ＷＡＮとの通信速度が低下した状態であっても携帯情報端末からアクセスポイントを通じた通信量が所定のしきい値以下の場合には、携帯情報端末から外部ディスプレイ装置へ表示することが可能となる。
【００１７】
（４）複数の部屋にそれぞれ設置された表示制御装置に対してＬＡＮを通じて通信の可否を所定の時間間隔で確認し、通信不可の場合に警報する警報手段を含む構成により、複数の部屋にそれぞれ設置された表示制御装置がＬＡＮから切断された場合に警報することができ、表示制御装置の盗難を防止することが可能となる。
【図面の簡単な説明】
【００１８】
【図１】本発明の実施の形態におけるミラーリングシステムの全体構成図である。
【図２】図１の表示制御装置の構成を示すブロック図である。
【図３】図１の管理装置の構成を示すブロック図である。
【図４】ＴＶへ表示される第２プログラム群の一覧の例を示す図である。
【図５】ミラーリングの全体の流れを示すフロー図である。
【図６】図５のステップＳ１３０の詳細な流れを示すフロー図である。
【図７】図５のステップＳ１４０の詳細な流れを示すフロー図である。
【図８】図５のステップＳ１５０の詳細な流れを示すフロー図である。
【発明を実施するための形態】
【００１９】
図１は本発明の実施の形態におけるミラーリングシステムの全体構成図、図２は図１の表示制御装置の構成を示すブロック図、図３は図１の管理装置の構成を示すブロック図である。
【００２０】
図１に示すように、本発明の実施の形態におけるミラーリングシステム１は、例えばホテルなどの複数の部屋Ｒ１，Ｒ２，Ｒ３，・・・に敷設されたＬＡＮ（ローカルエリアネットワーク）２と、ＬＡＮ２とＷＡＮ（ワイドエリアネットワーク）３とを接続するルータ４と、複数の部屋Ｒ１，Ｒ２，Ｒ３，・・・にそれぞれ設置されるテレビジョン（以下、「ＴＶ」と称す。）５と、複数の部屋Ｒ１，Ｒ２，Ｒ３，・・・のそれぞれの部屋Ｒ１，Ｒ２，Ｒ３，・・・内において利用者のスマートフォンやタブレット端末等の携帯情報端末６を無線によりＬＡＮ２に接続するためのアクセスポイント（以下、「ＡＰ」と称す。）７とを有する。
【００２１】
携帯情報端末６には、この携帯情報端末６上で実行されるアプリケーションプログラムであり、携帯情報端末６の画面をＴＶ５にミラーリング表示するためのアプリケーションプログラム（第１プログラム）としてのミラーリングアプリケーション（以下、「ミラーリングアプリケーション」を「ミラーリングアプリ」、「ミラーアプリ」または単に「アプリ」と称することもある。）がインストールされている。このミラーリングアプリケーションは、携帯情報端末６上で実行可能なミラーアプリＡ、ミラーアプリＢ、ミラーアプリＣおよびミラーアプリＤ（前述のＡｌｌＣａｓｔ、ＥＺＣａｓｔ、ＣｈｒｏｍｅｃａｓｔやＫＯＤＩ等（非特許文献１〜４参照。））の複数のミラーリングアプリケーション（第１プログラム群）の中から少なくとも１つを利用者が任意に選択し、携帯情報端末にインストールする。これらの携帯情報端末６上にインストールされるミラーリングアプリケーションは、携帯情報端末６上に表示される画面イメージデータを送信するＳｅｎｄｅｒ（センダー）として携帯情報端末６を機能させるものである。
【００２２】
各部屋Ｒ１，Ｒ２，Ｒ３，・・・のＴＶ５には、携帯情報端末６から送信された画面イメージデータをミラーリング表示するための表示制御装置としてのセットトップボックス（以下、「ＳＴＢ」と称す。）１０が接続されている。このＳＴＢ１０によって各部屋ＲのＴＶ５は、携帯情報端末６の外部ディスプレイ装置として機能する。ＳＴＢ１０は無線によりＡＰ７を通じてＬＡＮ２に接続されている。なお、ＳＴＢ１０は、有線によりＬＡＮ２に接続する構成とすることも可能である。
【００２３】
携帯情報端末６は、無線によりＡＰ７を通じてＬＡＮ２に接続することで、ＳＴＢ１０との通信を行うことが可能となり、ＳＴＢ１０へ画像イメージデータを送信することができる。また、携帯情報端末６は、無線によりＡＰ７を通じてＬＡＮ２に接続することによりルータ４を経由してＷＡＮ３との通信を行うことが可能となっている。なお、図１においては、部屋Ｒ１内にのみＴＶ５、携帯情報端末６およびＳＴＢ１０を図示しているが、他の部屋Ｒ２，Ｒ３，・・・内についても同様とする。
【００２４】
ＬＡＮ２は、ネットワークスイッチとしてのフロアスイッチ（以下、「フロアＳＷ」と称す。）８を各フロアＦ１，Ｆ２，Ｆ３，・・・に有している。各部屋Ｒ１，Ｒ２，Ｒ３，・・・のＡＰ７は、この各フロアＦ１，Ｆ２，Ｆ３，・・・に設置されたフロアＳＷ８にそれぞれ接続されている。なお、図１においては、フロアＦ１についてのみ部屋Ｒ１，Ｒ２，Ｒ３，・・・を図示しているが、他のフロアＦ２，Ｆ３，・・・についても同様とする。
【００２５】
図２に示すように、ＳＴＢ１０は、制御手段としての中央演算処理装置（ＣＰＵ）１１と、記憶手段としての不揮発性メモリ（フラッシュメモリ）１２と、一時記憶手段としてのランダムアクセスメモリ（ＲＡＭ）１３と、ＡＰ７との間で無線通信を行う無線通信手段としてのＷｉ−Ｆｉモジュール１４と、ＣＰＵ１１により処理された画像信号をＴＶ５に表示可能なビデオ信号に変換する信号変換手段としてのビデオデコーダ１５と、ビデオ信号をＴＶ５へ伝送する信号伝送手段としてのＨＤＭＩコントローラ１６とを有する。
【００２６】
また、ＳＴＢ１０は、遠隔操作するためのリモートコントローラ（以下、「リモコン」と称す。）２０を備えている。リモコン２０による操作信号は、赤外線リモコン発光機２１により発信される。ＳＴＢ１０は、この赤外線リモコン発光機２１により発信された操作信号を受信するための赤外線リモコン受光機１７を有する。
【００２７】
フラッシュメモリ１２には、前述の第１プログラム群にそれぞれ対応する第２プログラム群としての複数の第２プログラムが記憶されている。すなわち、第２プログラムは、前述のように携帯情報端末６上で実行されることが想定される第１プログラム群であるミラーアプリＡ、ミラーアプリＢ、ミラーアプリＣおよびミラーアプリＤの複数のミラーリングアプリケーションにそれぞれ対応するミラーリングアプリケーションである。これらのミラーリングアプリケーションは、ミラーアプリＡ、ミラーアプリＢ、ミラーアプリＣおよびミラーアプリＤの第１プログラム群のそれぞれの第１プログラムによって送信された画面イメージデータを受信してＴＶ５へ表示するＲｅｃｅｉｖｅｒ（レシーバー）としてＳＴＢ１０を機能させるものである。
【００２８】
ＣＰＵ１１は、フラッシュメモリ１２に記憶された第２プログラム群の中から使用する第２プログラムを選択させるプログラム選択手段１１ａと、フラッシュメモリ１２に記憶された第２プログラム群のうちプログラム選択手段１１ａにより選択された第２プログラムのみを実行するプログラム実行手段１１ｂとを有する。
【００２９】
プログラム選択手段１１ａは、フラッシュメモリ１２に記憶された第２プログラム群の一覧をＴＶ５へ表示し、この一覧の中から利用者が利用する第２プログラム、すなわち、利用者が携帯情報端末６上で実行する第１プログラムに対応する第２プログラムをリモコン２０によって選択させる。図４はプログラム選択手段１１ａによってＴＶ５へ表示された第２プログラム群の一覧の例を示している。
【００３０】
プログラム実行手段１１ｂは、このプログラム選択手段１１ａによって選択された第２プログラム（図４の例ではミラーアプリＣ）のみをフラッシュメモリ１２から取得し、ＲＡＭ１３に展開して実行する。これにより、ＳＴＢ１０は、第２プログラム（ミラーアプリＣ）のレシーバーとして機能し、利用者の携帯情報端末６上で実行される第１プログラム（ミラーアプリＣ）により送信された画面イメージデータを受信してＴＶ５へ表示する。
【００３１】
また、図１に戻って、本発明の実施の形態におけるミラーリングシステム１は、ＬＡＮ２に接続された管理装置９を有する。管理装置９は、図３に示すように、ルータ４を経由したＷＡＮ３との通信速度を監視する通信速度監視手段９０と、複数の部屋Ｒ１，Ｒ２，Ｒ３，・・・のそれぞれの部屋において携帯情報端末６からＡＰ７を通じた通信量を監視する通信量監視手段９１と、複数の部屋Ｒ１，Ｒ２，Ｒ３，・・・にそれぞれ設置されたＳＴＢ１０を制御する制御手段９２とを有する。
【００３２】
通信速度監視手段９０は、ルータ４のＷＡＮポートの情報を読み取ることにより、ＬＡＮ２とＷＡＮ３との通信速度を監視する。通信量監視手段９１は、各フロアＦ１，Ｆ２，Ｆ３，・・・に設置されたフロアＳＷ８に対して各部屋Ｒ１，Ｒ２，Ｒ３，・・・のＳＴＢ１０がそれぞれ接続された各ポートの情報を読み取ることにより、複数の部屋Ｒ１，Ｒ２，Ｒ３，・・・のそれぞれの部屋において携帯情報端末６からＡＰ７を通じたＷＡＮ３との通信量を監視する。
【００３３】
制御手段９２は、ルータ４を経由したＷＡＮ３との通信速度（本実施形態においては、ＷＡＮ３側からＬＡＮ２側への下りの通信速度）が所定のしきい値以下となった場合に複数の部屋Ｒ１，Ｒ２，Ｒ３，・・・にそれぞれ設置されたＳＴＢ１０を通じてＴＶ５へ通知する。例えば、制御手段９２は、ルータ４を経由したＷＡＮ３との通信速度が、携帯情報端末６による動画などの大容量コンテンツのストリーミング再生に適さない所定のしきい値以下となった場合に、ＳＴＢ１０を通じてその旨をＴＶ５へ通知する。
【００３４】
また、制御手段９２は、ルータ４を経由したＷＡＮ３との通信速度がさらに低下した場合には、ＳＴＢ１０のプログラム実行手段１１ｂの動作を不許可とするが、複数の部屋Ｒ１，Ｒ２，Ｒ３，・・・のそれぞれの部屋において携帯情報端末６からＡＰ７を通じたＷＡＮ３との通信量が所定のしきい値以下の場合には、その部屋内に設置されたＳＴＢ１０のプログラム実行手段１１ｂの動作を許可する。例えば、携帯情報端末６がＡＰ７を通じてＷＡＮ３との通信を行わずに、ミラーリング表示を行う場合には、携帯情報端末６からＡＰ７を通じたＷＡＮ３との通信量が所定のしきい値以下となり、制御手段９２はＳＴＢ１０のプログラム実行手段１１ｂの動作を許可する。
【００３５】
また、管理装置９は、複数の部屋Ｒ１，Ｒ２，Ｒ３，・・・にそれぞれ設置されたＳＴＢ１０に対してＬＡＮ２を通じて通信の可否を所定の時間間隔で確認し、通信不可の場合に警報する警報手段９３を有する。例えば、警報手段９３は、複数の部屋Ｒ１，Ｒ２，Ｒ３，・・・にそれぞれ設置されたＳＴＢ１０に対して所定の時間間隔でｐｉｎｇを発行し、応答がない場合に警報する。
【００３６】
次に、上記構成のミラーリングシステムの動作について具体的に説明する。図５はミラーリングの全体の流れを示すフロー図である。
【００３７】
図５に示すように、利用者は、まず携帯情報端末６上で実行するミラーリングアプリケーション（ＴＶミラーリングアプリ）を第１プログラム群の中から選択する（ステップＳ１００）。そして、ＳＴＢ１０を起動すると、プログラム選択手段１１ａによってＴＶ５の画面に図４に示すようなアプリ選択のメニュー（第２プログラム群の一覧）が表示される（ステップＳ１１０）。利用者が、この一覧の中から利用者が利用するアプリ、すなわち、携帯情報端末６上で実行するミラーリングアプリケーションに対応するアプリをリモコン２０により選択すると（ステップＳ１２０）、選択されたアプリがＳＴＢ１０上で起動する（ステップＳ１３０）。
【００３８】
図６は図５のステップＳ１３０の詳細な流れを示すフロー図である。図６に示すように、アプリの起動（ステップＳ１３０）では、リモコン２０により選択されたアプリ名（図４の例ではミラーアプリＣ）が起動するアプリとしてプログラム選択手段１１ａからプログラム実行手段１１ｂへ通知される（ステップＳ１３１）。プログラム実行手段１１ｂは、この通知されたアプリをフラッシュメモリ１２からＲＡＭ１３に展開して（ステップＳ１３２）、起動する（ステップＳ１３３）。
【００３９】
図５に戻って、次に、利用者は携帯情報端末６をＷｉ−Ｆｉに接続する（ステップＳ１４０）。図７は図５のステップＳ１４０の詳細な流れを示すフロー図である。図７に示すように、Ｗｉ−Ｆｉ接続（ステップＳ１４０）では、利用者が携帯情報端末６により部屋Ｒ１のＷｉ−Ｆｉアクセスポイント（ＡＰ７）のサービスセット識別子（ＳＳＩＤ）を選択し（ステップＳ１４１）、そのパスワードを入力すると（ステップＳ１４２）、携帯情報端末６が部屋Ｒ１のＡＰ７に接続される（ステップＳ１４３）。
【００４０】
再び図５に戻って、利用者は携帯情報端末６をＳＴＢ１０上で起動されているミラーアプリに接続する（ステップＳ１５０）。図８は図５のステップＳ１５０の詳細な流れを示すフロー図である。図８に示すように、ＳＴＢ１０上で動作しているミラーアプリよりＷｉ−Ｆｉへミラーアプリを識別可能な識別子（ミラーＩＤ）をブロードキャストする（ステップＳ１５１）。携帯情報端末６上で実行されるミラーアプリは、このブロードキャストされたミラーＩＤに接続する（ステップＳ１５２）。
【００４１】
その後、携帯情報端末６のミラーアプリは、画面イメージデータとしてフレームバッファーの内容をＳＴＢ１０のミラーアプリに送信する（ステップＳ１５３）。ＳＴＢ１０のミラーアプリは、このフレームバッファーの内容を受信し、ビデオデコーダ１５へ転送する（ステップＳ１５４）。ビデオデコーダ１５は、フレームバッファーの内容（画像信号）をビデオ信号へ変換し、ＴＶ５へ転送する（ステップＳ１５５）。
【００４２】
以上のように、本実施形態におけるミラーリングシステム１では、携帯情報端末６上で実行可能な複数のミラーアプリにそれぞれ対応する複数のミラーアプリがフラッシュメモリ１２に記憶されており、利用者がリモコン２０により起動するミラーアプリを選択すると、この選択されたミラーアプリがＲＡＭ１３に展開されて実行される。これにより、携帯情報端末６の利用者は携帯情報端末６上で実行するミラーアプリに対応するミラーアプリをＳＴＢ１０上で選択するだけで、携帯情報端末６上で実行されるミラーアプリにより送信された画面イメージデータがＳＴＢ１０により受信され、ＴＶ５へミラーリング表示される。
【００４３】
このとき、ＳＴＢ１０上では、フラッシュメモリ１２に記憶された複数のミラーアプリのうち選択されたミラーアプリのみが実行されるので、ミラーアプリ同士のコンフリクトが発生しない。さらに、ＳＴＢ１０上では複数のミラーアプリが同時に実行されないため、ＳＴＢ１０のＣＰＵ１１の負荷を抑えることが可能となっている。
【００４４】
また、本実施形態におけるミラーリングシステム１では、管理装置９によって、ルータ４を経由したＷＡＮ３との通信速度が所定のしきい値以下となった場合に複数の部屋Ｒ１，Ｒ２，Ｒ３，・・・にそれぞれ設置されたＳＴＢ１０を通じてＴＶ５へ通知されるので、携帯情報端末６の利用者は、ＷＡＮ３との通信速度の低下をＴＶ５への通知により知ることが可能となる。
【００４５】
また、この管理装置９では、通信速度が所定のしきい値以下となった場合であっても、複数の部屋Ｒ１，Ｒ２，Ｒ３，・・・のそれぞれの部屋内において携帯情報端末６からＡＰ７を通じたＷＡＮ３との通信量が所定のしきい値以下の場合には、その部屋内に設置されたＳＴＢ１０のプログラム実行手段１１ｂの動作を許可する。そのため、ＷＡＮ３との通信速度が低下した状態であっても携帯情報端末６からＡＰ７を通じたＷＡＮ３との通信量が所定のしきい値以下の場合、例えば携帯情報端末６のローカルコンテンツのミラーリングや携帯情報端末６の携帯電話網を通じて取得したコンテンツのミラーリングを行う場合には、携帯情報端末６からＴＶ５へ表示することが可能となる。
【００４６】
また、この管理装置９では、複数の部屋Ｒ１，Ｒ２，Ｒ３，・・・にそれぞれ設置されたＳＴＢ１０に対してＬＡＮ２を通じて通信の可否を所定の時間間隔で確認し、通信不可の場合に警報する警報手段９３によって、複数の部屋Ｒ１，Ｒ２，Ｒ３，・・・にそれぞれ設置されたＳＴＢ１０がＬＡＮ２から切断された場合、例えばＳＴＢ１０が盗難によりＬＡＮ２から切断された場合に警報されるので、ＳＴＢ１０の盗難を防止することができる。
【産業上の利用可能性】
【００４７】
本発明の表示制御装置およびミラーリングシステムの管理装置は、スマートフォン（多機能携帯電話）やタブレット端末等の携帯情報端末の画面をテレビジョンや液晶モニタ等の外部ディスプレイ装置へ表示する表示制御装置およびミラーリングシステムの管理装置として有用である。
【符号の説明】
【００４８】
１  ミラーリングシステム
２  ＬＡＮ
３  ＷＡＮ
４  ルータ
５  テレビジョン（ＴＶ）
６  携帯情報端末
７  アクセスポイント（ＡＰ）
８  フロアスイッチ
９  管理装置
１０  セットトップボックス（ＳＴＢ）
１１  ＣＰＵ
１１ａ  プログラム選択手段
１１ｂ  プログラム実行手段
１２  フラッシュメモリ
１３  ＲＡＭ
１４  Ｗｉ−Ｆｉモジュール
１５  ビデオデコーダ
１６  ＨＤＭＩコントローラ
１７  赤外線リモコン受光機
２０  リモコン
２１  赤外線リモコン発光機
９０  通信速度監視手段
９１  通信量監視手段
９２  制御手段
９３  警報手段
【図１】
2017092711.tif 000003
【図２】
2017092711.tif 000004
【図３】
2017092711.tif 000005
【図４】
2017092711.tif 000006
【図５】
2017092711.tif 000007
【図６】
2017092711.tif 000008
【図７】
2017092711.tif 000009
【図８】
2017092711.tif 000010